(57)【要約】      （修正有）【課題】記録ディスク・ドライブの試験にかかる時間を低減し、記録ディスク・ドライブの生産性の向上を達成する。【解決手段】試験装置は、ＨＤＤ１００を固定する固定機構３００と、試験用コンピュータとを備え、固定機構３００は、ＨＤＤ１００の筐体を固定する筺体固定部３０５、３０６と、固定機構３００からＨＤＤ１００をイジェクトするイジェクト部３０７と、ベース部３０１と、ベース部３０１に対して相対的に移動するように操作者によって操作される操作部３０３ｃとを備え、操作部３０３ｃがベース部３０１に対して押し込まれることに連動して、固定部３０５、３０６がＨＤＤ１００の固定を解除すると共にイジェクト部３０７が固定解除されたＨＤＤ１００をイジェクトする。【選択図】図５
2007220184.tif 000002
【特許請求の範囲】
【請求項１】
記録ディスク・ドライブを固定する固定機構と、
前記固定機構に固定された記録ディスク・ドライブの試験を制御する試験用コンピュータと、を備え、
前記固定機構は、
前記記録ディスク・ドライブの筐体を固定する筺体固定部と、
前記固定機構から前記記録ディスク・ドライブをイジェクトするイジェクト部と、
前記筺体固定部とイジェクト部とが装着されているベース部と、
前記ベース部に対して相対的に移動するように操作者によって操作される操作部と、を備え、
前記操作部が前記ベース部に対して押し込まれることに連動して、前記固定部が前記記録ディスク・ドライブの固定を解除すると共に前記イジェクト部が固定解除された記録ディスク・ドライブをイジェクトする、記録ディスク・ドライブの試験装置。
【請求項２】
前記操作部が押し込まれることに連動して、前記イジェクト部はその押し込まれた方向と反対の方向に前記記録ディスク・ドライブを押し出す、請求項１に記載の試験装置。
【請求項３】
前記固定部は、取り替え可能な押圧部によって前記筐体を押圧して固定する、請求項１に記載の試験装置。
【請求項４】
前記押圧部は前記筺体の側面を押圧する押圧面を備え、その押圧面上に前記ベース部の底面に向かって突出し且つその底面に向かって配列された複数の突出部を備える、請求項３に記載の試験装置。
【請求項５】
前記押圧部は、前記筐体に形成されたネジ穴周辺を押圧する、請求項３に記載の試験装置。
【請求項６】
前記記録ディスク・ドライブに接続され、前記試験用コンピュータと前記記録ディスク・ドライブとの間の信号を伝送するアダプタをさらに備え、
前記固定機構は、
前記アダプタを固定するアダプタ固定部と、
前記アダプタ固定部の固定を解除する固定解除部と、を有し、
固定されている記録ディスク・ドライブをイジェクトするために前記操作部が移動される通常移動範囲を超えて前記操作部が移動されることに連動して、前記固定解除部が前記アダプタ固定部による前記アダプタの固定を解除する、請求項１に記載の試験装置。
【請求項７】
前記アダプタの固定解除のための前記操作部の移動は、前記記録ディスク・ドライブのイジェクトのための移動よりも大きな力を要する、請求項６に記載の試験装置。
【請求項８】
前記固定機構は、前記操作部が前記通常範囲を超えて移動される際に前記固定解除部の移動を妨げる弾性体を更に有し、
前記固定解除部は、前記弾性体を押し潰して移動することにより前記アダプタ固定部固定を解除する、請求項６に記載の試験装置。
【請求項９】
前記固定機構は、前記記録ディスク・ドライブが前記筺体固定部に固定された状態においてその底面を支持するガイドレールを更に有し、
前記操作部は、前記固定機構において前記記録ディスク・ドライブを挿入する側に配置され、
前記操作部が前記ベースに対して押し込まれた状態において、前記ガイドレールの前記底面を支持する面と前記操作部の表面とが略同一面上に連続する、
請求項１に記載の試験装置。
【請求項１０】
記録ディスク・ドライブの筐体を固定する固定部と、
前記筐体を押動して前記固定具から前記記録ディスク・ドライブを押し出すイジェクト部と、
前記固定部及び前記イジェクト部が装着されるベース部と、
前記ベース部に対して相対的に移動するように操作者によって操作される操作部と、を備え、
前記操作部が前記ベース部に対して押し込まれることに連動して、前記筺体固定部は前記記録ディスク・ドライブの固定を解除すると共に前記イジェクト部が固定解除された前記記録ディスク・ドライブを押し出す、
記録ディスク・ドライブ固定具。
【請求項１１】
前記固定部は、取り替え可能な押圧部によって前記筐体を押圧して固定する、請求項１０に記載の記録ディスク・ドライブ固定具。
【請求項１２】
記録ディスク・ドライブを組み立て、
前記記録ディスク・ドライブを収容空間に配置し、
前記収容空間内において前記記録ディスク・ドライブを固定機構に固定し、
前記記録ディスク・ドライブを固定した状態でその試験を実行し、
前記固定機構に設けられた操作部を前記固定機構に対して押し込むことにより、前記記録ディスク・ドライブの固定を解除すると共に、前記記録ディスク・ドライブを前記固定機構からイジェクトする、記録ディスク・ドライブの製造方法。
【請求項１３】
前記記録ディスク・ドライブを押し込むことにより、前記記録ディスク・ドライブを前記収容空間に挿入してアダプタに接続し、
前記記録ディスク・ドライブが前記アダプタに接続された状態で、前記操作部を前記固定機構に対して引くことにより、前記記録ディスク・ドライブを前記固定機構に固定する、請求項１２に記載の記録ディスク・ドライブの製造装置。
【発明の詳細な説明】
【技術分野】
【０００１】
本発明は記録ディスク・ドライブの固定具、記録ディスク・ドライブの製造方法及び記録ディスク・ドライブのテスト装置に関する。
【背景技術】
【０００２】
データ記憶装置として、光ディスクや磁気テープなどの様々な態様のメディアを使用する装置が知られている。その中で、ハードディスク・ドライブ（ＨＤＤ）は、コンピュータの記憶装置として広く普及し、現在のコンピュータ・システムにおいて欠かすことができない記憶装置の一つとなっている。さらに、コンピュータ・システムにとどまらず、動画像記録再生装置、カーナビゲーション・システム、携帯電話、あるいはデジタル・カメラなどで使用されるリムーバブルメモリなど、ＨＤＤの用途はその優れた特性により益々拡大している。
【０００３】
ＨＤＤは、データを記憶する磁気ディスクと、磁気ディスクへアクセスするヘッド・スライダとを備えている。ヘッド・スライダは、磁気ディスクとの間のデータ読み出し及び／もしくは書き込みを行うヘッド素子部と、ヘッド素子部がその上に形成されたスライダとを有している。ＨＤＤは、さらに、ヘッド・スライダを磁気ディスク上の所望の位置に移動するアクチュエータを備えている。アクチュエータはボイス・コイル・モータ（ＶＣＭ）によって駆動され、回動軸を中心として回動することによって、回転する磁気ディスク上でヘッド・スライダを半径方向に移動する。これによって、ヘッド素子部が磁気ディスクに形成された所望のトラックにアクセスし、データの読み出し／書き込み処理を行うことができる。
【０００４】
ＨＤＤは、部品を組み立てた後に外部の試験装置に接続して動作試験や各種パラメータの設定、調整等を行う。大量生産に係るＨＤＤでは、一度に大量のＨＤＤを試験装置に接続し、上記の動作試験等を行っている。試験装置は、ＨＤＤを収納し内部の温度を調整可能なチャンバ、チャンバ内部においてＨＤＤを固定するフィクスチャ、ＨＤＤに試験を実行させる試験用コンピュータ及びＨＤＤとしけようコンピュータとを接続するコネクタを有する。ＨＤＤは、試験装置のチャンバに挿入され、コネクタに接続される。
【０００５】
上述したとおり、動作中のＨＤＤの内部では磁気ディスクが高速回転したり、アクチュエータが回動動作を繰り返したりしているため、ＨＤＤの外側を構成するハウジングには振動が発生する。ＨＤＤのハウジングが振動すると、試験動作中にヘッドを所定のトラックに位置づける性能が低下し、不必要なエラーが発生して適切な試験を行うことができない。また、チャンバには大量のＨＤＤが収納されているため、他のＨＤＤの振動の影響を防ぐ必要もある。ＨＤＤの固定方法として、特許文献１には、磁気ディスク装置の幅方向における規格許容範囲でのばらつきを吸収できる磁気ディスク装置の取付部材が開示されている。また、特許文献２には、磁気ディスク装置の振動を抑制して、高速回転する磁気ディスク装置の動作を保証する磁気ディスク装置の取付構造が開示されている。
【特許文献１】特開２００４−３９０８４号公報
【特許文献２】特開２００１−３３２０７５号公報
【発明の開示】
【発明が解決しようとする課題】
【０００６】
特許文献１に示されるようにＨＤＤをネジで固定する場合、ＨＤＤの試験装置への着脱に非常に時間がかかり、ＨＤＤの試験に係る時間が長くなってしまう。この結果、ＨＤＤの生産性が低下する。また、特許文献２に示されるようにＨＤＤを押圧固定する場合、ＨＤＤの種類に合わせて押さえつけ荷重を最適に設定する必要がある。例えば、ＨＤＤを押さえつける力が強すぎる場合、ＨＤＤの変形を招くおそれがある。また、ＨＤＤを押さえつける力が強ければ、その分筐体の振動を抑制することができるため、実際の使用条件では試験にパスできないＨＤＤが試験にパスしてしまうことも考えられる。逆に、ＨＤＤを押さえつける力が弱過ぎると筐体の振動を抑えることができず、試験を適正に行うことが出来ない。
【０００７】
更に、ＨＤＤを押さえつける部材の共振周波数とＨＤＤの共振周波数とが一致してしまうと振動がまったく減衰されないため、試験を適正に行うことができなくなる。また、ＨＤＤには同サイズの場合でも様々な形状がある。従って、ＨＤＤの試験コストを低減するためにはどのような形状のＨＤＤにも対応可能である汎用的なフィクスチャが好ましい。しかしながら、ＨＤＤの形状をある程度特定しなければ設計が困難になってしまう。尚、ＨＤＤの試験装置に限らず、実際の使用時においてもＨＤＤの着脱は煩わしく、ＨＤＤの簡単な着脱機構が望まれている。
【０００８】
本発明はこのような事情を背景としてなされたものであって、その目的の一つは、記録ディスク・ドライブの試験にかかる時間を低減し、記録ディスク・ドライブの生産性の向上を達成することである。本発明のもう一つの目的は、記録ディスク・ドライブの着脱を容易に行うことができる記録ディスク・ドライブの固定具を提供することである。
【課題を解決するための手段】
【０００９】
本発明の一例に係る試験装置は、記録ディスク・ドライブを固定する固定機構と、前記固定機構に固定された記録ディスク・ドライブの試験を制御する試験用コンピュータと、を備え、前記固定機構は、前記記録ディスク・ドライブの筐体を固定する筺体固定部と、前記固定機構から前記記録ディスク・ドライブをイジェクトするイジェクト部と、前記筺体固定部とイジェクト部とが装着されているベース部と、前記ベース部に対して相対的に移動するように操作者によって操作される操作部と、を備え、前記操作部が前記ベース部に対して押し込まれることに連動して、前記固定部が前記記録ディスク・ドライブの固定を解除すると共に前記イジェクト部が固定解除された記録ディスク・ドライブをイジェクトするものである。これにより、記録ディスク・ドライブの試験にかかる時間を低減し、記録ディスク・ドライブの生産性の向上を達成することができる。
【００１０】
ここで、前記操作部が押し込まれることに連動して、前記イジェクト部はその押し込まれた方向と反対の方向に前記記録ディスク・ドライブを押し出すことが好ましい。これにより、操作部を押すことによるイジェクトを実現できる。
【００１１】
また、前記固定部は、取り替え可能な押圧部によって前記筐体を押圧して固定することが好ましい。これにより、筐体を押圧する押圧力を変化させることができる。
【００１２】
更に、前記押圧部は前記筺体の側面を押圧する押圧面を備え、その押圧面上に前記ベース部の底面に向かって突出し且つその底面に向かって配列された複数の突出部を備えることが好ましい。これにより、筐体を押圧することによって斜面が変形し、筐体を押圧方向とは垂直な方向にも押し付けることができる。
【００１３】
更にまた、前記押圧部は、前記筐体に形成されたネジ穴周辺を押圧することが好ましい。これにより、同インチで異なる種類の記録ディスク・ドライブを固定することができる。
【００１４】
また、前記記録ディスク・ドライブに接続され、前記試験用コンピュータと前記記録ディスク・ドライブとの間の信号を伝送するアダプタをさらに備え、前記固定機構は、前記アダプタを固定するアダプタ固定部と、前記アダプタ固定部の固定を解除する固定解除部と、を有し、固定されている記録ディスク・ドライブをイジェクトするために前記操作部が移動される通常移動範囲を超えて前記操作部が移動されることに連動して、前記固定解除部が前記アダプタ固定部による前記アダプタの固定を解除することが好ましい。これにより、アダプタの取り替えを容易に行うことができる。
【００１５】
また、前記アダプタの固定解除のための前記操作部の移動は、前記記録ディスク・ドライブのイジェクトのための移動よりも大きな力を要することが好ましい。これにより、通常の動作においてはアダプタが外れないようにすることができる。
【００１６】
また、前記固定機構は、前記操作部が前記通常範囲を超えて移動される際に前記固定解除部の移動を妨げる弾性体を更に有し、前記固定解除部は、前記弾性体を押し潰して移動することにより前記アダプタ固定部固定を解除することが好ましい。
【００１７】
また、前記固定機構は、前記記録ディスク・ドライブが前記筺体固定部に固定された状態においてその底面を支持するガイドレールを更に有し、前記操作部は、前記固定機構において前記記録ディスク・ドライブを挿入する側に配置され、前記操作部が前記ベースに対して押し込まれた状態において、前記ガイドレールの前記底面を支持する面と前記操作部の表面とが略同一面上に連続することが好ましい。これにより、固定具に記録ディスク・ドライブを挿入する際に、記録ディスク・ドライブがガイドレールの端部に衝突して破損することを回避できる。
【００１８】
本発明の一例に係る記録ディスク・ドライブ固定具は、記録ディスク・ドライブの筐体を固定する固定部と、前記筐体を押動して前記固定具から前記記録ディスク・ドライブを押し出すイジェクト部と、前記固定部及び前記イジェクト部が装着されるベース部と、前記ベース部に対して相対的に移動するように操作者によって操作される操作部と、を備え、前記操作部が前記ベース部に対して押し込まれることに連動して、前記筺体固定部は前記記録ディスク・ドライブの固定を解除すると共に前記イジェクト部が固定解除された前記記録ディスク・ドライブを押し出すものである。これにより、記録ディスク・ドライブの着脱を容易に行うことができる記録ディスク・ドライブの固定具を提供することができる。
【００１９】
ここで、前記固定部は、取り替え可能な押圧部によって前記筐体を押圧して固定することが好ましい。これにより、筐体を押圧する押圧力を変化させることができる。
【００２０】
本発明の一例に係る記録ディスク・ドライブの製造方法は、記録ディスク・ドライブを組み立て、前記記録ディスク・ドライブを収容空間に配置し、前記収容空間内において前記記録ディスク・ドライブを固定機構に固定し、前記記録ディスク・ドライブを固定した状態でその試験を実行し、前記固定機構に設けられた操作部を前記固定機構に対して押し込むことにより、前記記録ディスク・ドライブの固定を解除すると共に、前記記録ディスク・ドライブを前記固定機構からイジェクトする。これにより、記録ディスク・ドライブの試験にかかる時間を低減し、記録ディスク・ドライブの生産性の向上を達成することができる。
【００２１】
ここで、前記記録ディスク・ドライブを押し込むことにより、前記記録ディスク・ドライブを前記収容空間に挿入してアダプタに接続し、前記記録ディスク・ドライブが前記アダプタに接続された状態で、前記操作部を前記固定機構に対して引くことにより、前記記録ディスク・ドライブを前記固定機構に固定することが好ましい。これにより、記録ディスク・ドライブの固定具への固定を容易にし、且つ不完全な状態での接続を回避することができる。
【発明の効果】
【００２２】
本発明によれば、記録ディスク・ドライブの試験にかかる時間を低減し、記録ディスク・ドライブの生産性の向上を達成すること若しくは記録ディスク・ドライブの着脱を容易に行うことができる記録ディスク・ドライブの固定具を提供することができる。
【発明を実施するための最良の形態】
【００２３】
以下に、本発明を適用可能な実施の形態を説明する。なお、各図面において、同一要素には同一の符号が付されており、説明の明確化のため、必要に応じて重複説明は省略されている。本形態は、ハードディスク・ドライブ（ＨＤＤ）の製造工程に関し、特に組み立て後の試験工程に関する。本形態のＨＤＤの試験工程においては、専用の試験装置に設けられた固定具にＨＤＤを固定し、ＨＤＤの試験を行う。この固定具の機構が本形態の特徴の一つである。
【００２４】
最初に、ＨＤＤの全体構成を説明する。図１は、本実施の形態に係るＨＤＤ１００の構成を模式的に示す平面図である。ＨＤＤ１００は、データを記録する記録ディスクとしての磁気ディスク１０１を備えている。磁気ディスク１０１は、磁性層が磁化されることによってデータを記録する不揮発性メモリである。ＨＤＤ１００の各構成要素は、ベース１０２内に収容されている。ベース１０２は、ベース１０２の上部開口を塞ぐカバー（不図示）とガスケット（不図示）を介して固定されることによってディスクエンクロージャ（筐体）を構成し、ＨＤＤ１００の各構成要素を収容することができる。
【００２５】
ヘッド・スライダ１０５は、ホスト（不図示）との間で入出力されるデータについて、磁気ディスク１０１への書き込み及び／又は読み出しを行うヘッド素子部と、そのヘッド素子部がその面上に形成されているスライダとを備えている。ヘッド素子部は、磁気ディスク１０１への記憶データに応じて電気信号を磁界に変換する記録素子及び／又は磁気ディスク１０１からの磁界を電気信号に変換する再生素子とを有する
【００２６】
アクチュエータ１０６は、ヘッド・スライダ１０５を保持、移動する。アクチュエータ１０６は回動軸１０７に回動自在に保持されており、駆動機構としてのＶＣＭ（ボイス・コイル・モータ）１０９によって駆動される。アクチュエータ１０６は、ヘッド・スライダ１０５が配置された長手方向におけるその先端部から、サスペンション１１０、アーム１１１、コイル・サポート１１２及びフラットコイル１１３の順で結合された各構成部材を備えている。ＶＣＭ１０９は、フラットコイル１１３、上側ステータ・マグネット保持板１１４に固定されたステータ・マグネット（不図示）、及び下側ステータ・マグネット（不図示）から構成されている。
【００２７】
磁気ディスク１０１は、ベース１０２に固定されたスピンドル・モータ（ＳＰＭ）１０３に一体的に保持され、ＳＰＭ１０３により所定の角速度で回転される。磁気ディスク１０１からのデータの読み取り／書き込みのため、アクチュエータ１０６は回転している磁気ディスク１０１表面のデータ領域上空にヘッド・スライダ１０５を移動する。磁気ディスク１０１に対向するスライダのＡＢＳ（Air Bearing Surface）面と回転している磁気ディスク１０１との間の空気の粘性による圧力が、サスペンション１１０によって磁気ディスク１０１方向に加えられる圧力とバランスすることによって、ヘッド・スライダ１０５は磁気ディスク１０１上を一定のギャップを置いて浮上する。磁気ディスク１０１の回転が停止する等のときには、アクチュエータ１０６はヘッド・スライダ１０５をデータ領域からランプ機構１１５に退避させる。
【００２８】
尚、ヘッド・スライダ１０５がデータ書き込み／読み出し処理を行わない場合に、磁気ディスク１０１の内周に配置されているゾーンに退避するＣＳＳ（Contact Start and Stop）方式に、本発明を適用することも可能である。また、上記の説明では、簡単のために磁気ディスク１０１が一枚構成で、片面記憶のハードディスク・ドライブを説明しているが、ＨＤＤ１００は、１もしくは複数枚の両面記憶磁気ディスクを備えることができる。また、図１にＡで示す面に、ＨＤＤ１００のインターフェース・コネクタ及び電源コネクタが形成される。以下の説明においては、ベース１０２にカバー１０２が被せられ筐体が構成された状態において、カバーの表面をＨＤＤ１００の上面、筐体の反対側の面（ベース１０２の裏面）を底面、上面及び底面に垂直な面であって面Ａに垂直な面（図１における上端と下端）を側面とする。
【００２９】
この様に組み立てられたＨＤＤ１００は専用の装置に接続され、出荷前の動作試験や各種パラメータの設定、調整などを行う。図２に、本実施形態について用いる試験装置を示す。図２は、本実施形態に係る試験装置２００を模式的に示す斜視図である。試験装置２００は、複数のＨＤＤ挿入部２０１、試験用コンピュータ２０２及びチャンバ２１０を備える。ＨＤＤ挿入部２０１は、試験対象であるＨＤＤ１００を挿入する部位である。ＨＤＤ挿入部２０１は、内部の温度を調整可能なチャンバ２１０内部に設けられる。１つの試験装置２００は１つのチャンバ２１０を基体として、そのチャンバ２１０内部に複数のＨＤＤ挿入部２０１が設けられる。本実施形態においては、１つの試験装置２００に対して１２０個のＨＤＤ挿入部２０１が設けられている。各ＨＤＤ挿入部２０１に挿入されたＨＤＤ１００は、試験用コンピュータ２０２に接続される。試験用コンピュータ２０２から、各ＨＤＤ挿入部２０１に挿入されたＨＤＤ１００に対して、試験を行うためのプログラム、コマンド、パラメータ情報等が送信される。試験用コンピュータ２０２から、上記の情報及び命令を受信したＨＤＤ１００は、受信した情報に基づいて試験を実行する。
【００３０】
図３を用いて、ＨＤＤ挿入部２０１について詳細に説明する。図３は、ＨＤＤ挿入部２０１を示す斜視図である。図に示すように、ＨＤＤ挿入部２０１は、セル２１１、接続基板２１２及びＨＤＤ固定具３００を有する。セル２１１は、検査対象であるＨＤＤ１００を挿入する部屋である。接続基板２１２は、検査対象であるＨＤＤ１００のインターフェース・コネクタ及び電源コネクタに対応したコネクタを有するアダプタであり、セル２１１内で検査対象であるＨＤＤ１００と接続される。また、接続基板２１２は、試験用コンピュータ２０２と接続されており、これにより、ＨＤＤ１００と試験用コンピュータ２０２とが接続され、ＨＤＤ１００と試験用コンピュータ２０２との通信及びＨＤＤ１００への電源供給が可能となる。
【００３１】
ＨＤＤ固定具３００は、ＨＤＤ１００を拘持することにより固定する。ＨＤＤ固定具３００は、セル２１１の内部に固定されており、ＨＤＤ固定具３００がＨＤＤ１００を拘持することにより、ＨＤＤ１００がＨＤＤ挿入部２０１内において固定される。ＨＤＤ固定具３００は、ＨＤＤ１００を固定した状態（以下、拘持状態とする）と、ＨＤＤ１００を固定しない状態（以下、開放状態とする）とを切り換えることができる。また、接続基板２１２もＨＤＤ固定具３００に着脱可能に固定されている。これにより、作業者は、ＨＤＤ１００を把持してＨＤＤ１００を接続基板２１２に接続することができる。ＨＤＤ１００は、図３に示す挿入端３１０側からＨＤＤ固定具３００に挿入される。
【００３２】
また、接続基板２１２は、挿入端３１０とは反対側の端部において、ＨＤＤ固定具３００に固定されている。ＨＤＤ固定具３００において、ＨＤＤ１００が拘持される位置と接続基板２１２とは位置合わせされている。具体的には、ＨＤＤ１００のインターフェース・コネクタ及び電源コネクタと接続基板２１２に形成された夫々のコネクタとが、ＨＤＤ１００をＨＤＤ固定具３００に挿入する方向に対向するように配置されている。
【００３３】
ＨＤＤ１００をＨＤＤ固定具３００に固定する際は、ＨＤＤ固定具３００を開放状態とし、ＨＤＤ１００のインターフェース・コネクタが形成された面Ａを接続基板２１２のコネクタに対向させ、ＨＤＤ固定具３００の挿入端３１０側からＨＤＤ１００をＨＤＤ固定具３００に挿入する。この時、面Ａに垂直な方向にＨＤＤ１００をスライドさせ、ＨＤＤ１００のインターフェース・コネクタと接続基板２１２のコネクタとが接続されるまでＨＤＤ１００を押し込み、ＨＤＤ１００と接続基板２１２とを接続する。ＨＤＤ１００と接続基板２１２とが接続されたら、ＨＤＤ固定具３００を操作して拘持状態に切り換えることにより、ＨＤＤ１００がＨＤＤ固定具３００に拘持される。この様に、ＨＤＤ１００と接続基板２１２とが完全に接続されてからＨＤＤ固定具３００を拘持状態に切り換えることにより、ＨＤＤ１００と接続基板２１２との不完全な接続を避けることができる。
【００３４】
次に、図３、図４、図５を用いてＨＤＤ固定具３００について更に説明する。図４は、開放状態におけるＨＤＤ固定具３００を示す上面図である。図５は拘持状態におけるＨＤＤ固定具３００を示す上面図である。図４、図５においては、ＨＤＤ固定具３００に拘持されているＨＤＤ１００及び接続基板２１２を破線で透過させて示している。ＨＤＤ固定具３００は、ベースプレート３０１、ガイドレール３０２、操作プレート３０３、リンク機構３０４、板ばね３０５、押圧部材３０６、イジェクタ３０７及び基板固定金具３０８を有する。ベースプレート３０１は、ＨＤＤ固定具３００のベースであり、ＨＤＤ固定具３００を構成する各部材が装着される。ベースプレート３０１がセル２１１の内壁に固定され、ＨＤＤ固定具３００がセル２１１内部に固定される。
【００３５】
ベースプレート３０１は、ＨＤＤ固定具３００がＨＤＤ１００を拘持した状態において、ＨＤＤ１００の両側面に対応する端部が垂直に折り曲げられており、この端部が側面３０１ａを形成している。両側の側面３０１ａは、ＨＤＤ固定具３００に拘持されたＨＤＤ１００の両側面と対向して略平行に位置する。ガイドレール３０２は、ＨＤＤ固定具３００の内側であって側面３０１ａ上に設けられている。ガイドレール３０２は、ＨＤＤ１００がＨＤＤ固定具３００に挿入される際にＨＤＤ１００のガイドとなる。つまり、ＨＤＤ１００の底面の両側端がガイドレール３０２上を摺動する。また、ＨＤＤ１００が固定された状態においては、ＨＤＤ１００はその底面をガイドレール３０２によって支持される。また、ガイドレール３０２は、ＨＤＤ１００の拘持において、板ばね３０５との間でＨＤＤ１００を押圧する役割も果たす。更に、ガイドレール３０２は、基板固定金具３０８と連動して接続基板２１２を固定する役割も果たす。これらの詳細は後述する。
【００３６】
操作プレート３０３は、ＨＤＤ１００の固定と開放とを切り換えるためのレバーである。操作プレート３０３は板状の部材である。図４、図５に夫々示すように、操作プレート３０３は、ベースプレート３０１に対して相対的に移動可能であり、その方向はＨＤＤ１００をＨＤＤ固定具３００に挿入する方向である。操作プレート３０３はＨＤＤ固定具３００の挿入端３１０に対応する側の端部に操作部３０３ｃを有する。作業者は操作部３０３ｃを押動し又は引っ張ることにより、操作プレート３０３を操作する。リンク機構３０４は、くの字上に曲がったリンクプレート３０４ａとリンクプレート３０４ｂとが重ね合わせられ、その中央部において回動軸３０４ｃによって回動可能に連結された部材である。また、リンク機構３０４は回動軸３０４ｃによってベースプレート３０１にも連結されている。従って、リンクプレート３０４ａ、リンクプレート３０４ｂは、夫々回動軸３０４ｃを軸として、ベースプレート３０１に対して回転可能である。
【００３７】
操作プレート３０３の操作部３０３ｃとは反対側の端部において、操作プレート３０３とリンク機構３０４とは連結されている。具体的には、リンクプレート３０４ａは、回動軸３０４ｄによって操作プレート３０３に対して回動可能に連結されており、リンクプレート３０４ｂは、回動軸３０４ｆによって操作プレート３０３に対して回動可能に連結されている。これにより、操作プレート３０３をベースプレート３０１に対して相対的に移動させることで、リンク機構３０４が動作するようになっている。リンクプレート３０４ａ、３０４ｂは、操作プレート３０３に形成された楕円形の貫通穴であるスライド穴３０３ａに連結されている。これにより、回動軸３０４ｄ、回動軸３０４ｆはスライド穴３０３ａ内部をスライドすることができる。
【００３８】
リンク機構３０４は、イジェクタ３０７とも連結されている。イジェクタ３０７は、操作プレート３０３を操作することにより連動して動作し、ＨＤＤ１００を接続基板２１２のコネクタから抜脱する。イジェクタ３０７は、イジェクト時にＨＤＤ１００を押動する当接部３０７ａと、リンク機構３０４と連結される連結部３０７ｂとを有する。当接部３０７ａと連結部３０７ｂとは一体に成形されており、ガイドレール３０２に沿って一体的に動く。当接部３０７ａは、ＨＤＤ１００の面Ａと当接する。リンクプレート３０４ａ、３０４ｂは、操作プレート３０３と連結された側の端部とは反対側の端部において、連結部３０７ｂと連結されている。
【００３９】
イジェクタ３０７は、ベースプレート３０１の両側のガイドレール３０２に夫々連結され、左右対称に設けられる。イジェクタ３０７は、一方がリンクプレート３０４ａに連結され、他方がリンクプレート３０４ｂに連結される。具体的には、リンクプレート３０４ａは、その端部において回動軸３０４ｇによって連結部３０７ｂに連結されており、リンクプレート３０４ｂは、その端部において回動軸３０４ｅによって連結部３０７ｂに連結されている。連結部３０７ｂには、操作プレート３０３と同様にスライド穴３０７ｃが形成されており、回動軸３０４ｇ、回動軸３０４ｅは、スライド穴３０７ｃ内部をスライドすることができる。
【００４０】
操作プレート３０３、リンク機構３０４及びイジェクタ３０７は連動して動く。図４に示すＨＤＤ固定具３００の開放状態においては、リンク機構３０４は閉じた状態となっており、操作プレート３０３とイジェクタ３０７とが近づいた状態となっている。即ち、回動軸３０４ｄと回動軸３０４ｅ、回動軸３０４ｆと回動軸３０４ｇが夫々近づいた状態となっている。換言すると、操作プレート３０３とイジェクタ３０７とが回動軸３０４ｃにもっとも近い状態となっている。図５に示すＨＤＤ固定具３００の拘持状態においては、リンク機構３０４の各リンクプレート３０４ａ、３０４ｂが回転し、回動軸３０４ｄと回動軸３０４ｅ、回動軸３０４ｆと回動軸３０４ｇが互いに開いた状態となる。操作プレート３０３は挿入端３１０側に移動した状態となり、イジェクタ３０７はそれとは反対側に移動した状態となる。
【００４１】
即ち、操作プレート３０３を接続基板２１２から遠ざかる方向に動かすと、リンク機構３０４を介してイジェクタ３０７が操作プレート３０３から遠ざかる方向に動く。また、操作プレート３０３を接続基板２１２に近づく方向に動かすと、リンク機構３０４を介してイジェクタ３０７が操作プレート４０４に近づく方向に動く。操作プレート３０３、リンク機構３０４及びイジェクタ３０７の連動動作の詳細については後述する。
【００４２】
板ばね３０５は、ＨＤＤ固定具３００がＨＤＤ１００を拘持するための押圧力を生み出す、弾性を有する板状の部材である。板ばね３０５は、その板面がベースプレート３０１の側面３０１ａと平行になるように、一方の側面３０１ａに固定される。板ばね３０５には、押圧部材３０６が取り付けられる。押圧部材３０６は板ばね３０５の一端と他端に夫々取り付けられる。板ばね３０５の寸法は、ＨＤＤ１００の側面に設けられるネジ穴の間隔に対応している。押圧部材３０６は、ＨＤＤ固定具３００がＨＤＤ１００を拘持する状態におけるＨＤＤ１００の側面に形成されたネジ穴の位置と位置合わせされている。ＨＤＤの側面のネジ穴は規格に定められているため、このネジ穴の周辺を押さえつける構成とすることで、どのようなＨＤＤにも対応することができる。押圧部材３０６は、弾性体であり合成ゴム、プラスチック材料等により形成される。板ばね３０５が押圧力を生み出し、押圧部材３０６がＨＤＤ１００に当接してＨＤＤ１００を押圧する。押圧部材３０６の寸法、硬度等を変化させることにより、ＨＤＤ１００を押圧する荷重を変化させることができる。即ち、押圧部材３０６を取り替えることにより、ＨＤＤ固定具３００がＨＤＤ１００を押さえつける荷重を変化させることができる。
【００４３】
板ばね３０５は、操作プレート３０３の動作と連動している。図６（ａ）、（ｂ）、（ｃ）を用いて、板ばね３０５と操作プレート３０３との動作について説明する。図６（ａ）は、図５の状態において、板ばね３０５が形成された側のＨＤＤ固定具３００の側面の一部を外側から見た側面図である。図６（ａ）においては、説明の容易化のために側面３０１ａを省略して示している。図６（ｂ）は、図５の状態における板ばね３０５の一部及びその周辺を示す上面図であり、図６（ｃ）は、図４の状態における板ばね３０５の一部及びその周辺を示す上面図である。
【００４４】
板ばね３０５は、図６（ｂ）に示すＨＤＤ固定具３００の拘持状態において標準状態であり、図６（ｃ）に示すＨＤＤ固定具３００の開放状態において弾性エネルギーが蓄えられた状態である。従って、図６（ｂ）の状態において、押圧部材３０６の押圧面とこれに対向するガイドレール３０２の面との間隔は、ＨＤＤ固定具３００に拘持されるＨＤＤ１００の寸法及び目標とする押圧力に対応して定められる。本実施形態のＨＤＤ固定具３００は３．５インチサイズのＨＤＤを対象としており、図５の状態における押圧部材３０６の押圧面と対向するガイドレール３０２の面との間隔は約１０ｃｍである。
【００４５】
図６（ａ）に示すように、板ばね３０５は長手板状の部材であり、その端部にはばね端部３０５ａが形成されている。ばね端部３０５ａが操作プレート３０３と当接し、ばね端部３０５ａが操作プレート３０３から押動されることによって板ばね３０５が湾曲する。ばね端部３０５ａは、板ばね３０５の長手方向と垂直な方向に突出し、その突端がさらに鍵状に曲がっている。図６（ｂ）、（ｃ）に示すように、ばね端部３０５ａは、その先端が板ばね３０５本体の板面に対して折れ曲がっており、板面に対して傾いている。
【００４６】
操作プレート３０３は、ばね押圧部３０３ｂを有する。ばね押圧部３０３ｂは、操作プレート３０３のベースプレート３０１に対する移動方向と垂直な方向の端部であって、板ばね３０５が配置される側に形成される。ばね押圧部３０３ｂは、板ばね３０５のばね端部３０５ａと当接し、ばね端部３０５ａを押動することによって板ばね３０５を湾曲させる。図６（ｂ）に示すように、ばね押圧部３０３ｂは操作プレート３０３の端部においてその板面に平行な方向に突設しており、操作プレート３０３がベースプレート３０１に対して移動する方向に対して傾いた斜面部を有する。
【００４７】
図６（ａ）に示されるように、ベースプレート３０１の板面に対して垂直な方向において、板ばね３０５はその本体が操作プレート３０３よりも高く位置し、ばね端部３０５ａと操作プレート３０３とが重なるように配置される。また、図６（ｂ）、（ｃ）に示すように、操作プレート３０３が接続基板２１２に近づく方向に移動することにより、ばね端部３０５ａとばね押圧部３０３ｂとが当接するように夫々の部材が配置される。図６（ｃ）の状態においては、ばね押圧部３０３ｂがばね端部３０５ａを押圧することにより、押圧部材３０６がＨＤＤ１００から離間するように板ばね３０５が湾曲している。この様に、板ばね３０５は、操作プレート３０３がベースプレート３０１に対して相対的に移動することにより、その標準状態と湾曲状態とが切り換えられる。尚、図６（ｂ）に示す状態においては、ばね端部３０５ａの傾いた先端部とばね押圧部３０３ｂの斜面とが対向して配置されている。
【００４８】
図７は図６（ｂ）の切断線ＢＢにおける断面図である。図７に示すように、押圧部材３０６は、板ばね３０５に形成された貫通穴に押し込まれて固定されている。押圧部材３０６は、ＨＤＤ１００を押圧する押圧面に複数の凸部３０６ａを有する。凸部３０６ａは上向きの斜面３０６ｂを有する。凸部３０６ａをＨＤＤ１００に押し付けることにより、凸部３０６ａは変形し、ＨＤＤ１００の被押圧面に対して下向きに力を加える。従って、押圧部材３０６はＨＤＤ１００の被押圧面に対して垂直な方向に押圧力を加えると共に、下向きにＨＤＤ１００を押し付ける。これにより、より確実にＨＤＤ１００を拘持することができる。
【００４９】
図８（ａ）、図９（ａ）を用いて基板固定金具３０８について説明する。図８（ａ）は、図４の状態における基板固定金具３０８及びその周辺を示す上面図であり、図９（ａ）は、図８（ａ）と同様の状態における基板固定金具３０８及びその周辺を示す側面図である。図８においては、接続基板２１２を破線で透過させて示す。基板固定金具３０８は、両側のガイドレール３０２に夫々設けられ、接続基板２１２に形成された凹部２１２ａと嵌合し、接続基板２１２を固定する。基板固定金具３０８はガイドレール３０２に対して相対的に移動可能に連結されている。当該部位近傍のガイドレール３０２には、接続基板２１２を支持するための溝３０２ａが設けられている。接続基板２１２は、その両側端が溝３０２ａをスライドしてガイドレール３０２に挿入され、支持される。基板固定金具３０８は、溝３０２ａを横切るように配置されている。これにより、接続基板２１２が基板固定金具３０８によって溝３０２ａに支持された状態で固定される。基板固定金具３０８の動作はイジェクタ３０７の動作と連動している。
【００５０】
図８（ｂ）、（ｃ）及び図９（ｂ）、（ｃ）を用いて、イジェクタ３０７と基板固定金具３０８との動作の連動について説明する。この動作は、操作プレート３０３の操作により、基板固定金具３０８による接続基板２１２の固定解除を可能にする。図８（ｂ）は、図５の状態における基板固定金具３０８及びその周辺を示す上面図であり、図９（ｂ）は、図７（ｂ）と同様の状態における基板固定金具３０８及びその周辺を示す側面図である。また、図８（ｃ）は、図８（ｂ）の状態から更に操作プレート３０３を接続基板２１２から遠ざけた状態であり、図９（ｃ）も同様に図９（ｂ）の状態から更に操作プレート３０３を接続基板２１２から遠ざけた状態である。
【００５１】
図９（ｂ）に示すように、イジェクタ３０７の移動軌跡上であって、イジェクタ３０７に対して挿入端３１０とは反対側から対向するように、弾性体３０９が配置されている。弾性体３０９はガイドレール３０２に固定されており、連結部３０７ｂに対向する位置に配置されている。図５の状態において、連結部３０７ｂは弾性体３０９に当接しており、これにより動作を制限されている。基板固定金具３０８もまた、イジェクタ３０７の移動軌跡上に配置されている。基板固定金具３０８に対向するイジェクタ３０７の部分には、斜面３０７ｄが形成されている。
【００５２】
この状態において、更に操作プレート３０３を接続基板２１２から遠ざけると、イジェクタ３０７が弾性体３０９を押し潰しながら移動し、図８（ｂ）及び図９（ｃ）に示す状態に至る。即ち、斜面３０７ｄと基板固定金具３０８とが当接し、斜面３０７ｄに沿って基板固定金具３０８が押し上げられる。これにより、基板固定金具３０８が接続基板２１２の凹部２１２ａから外れ、接続基板２１２が溝３０２ａをスライド可能になる。操作プレート３０３の通常の動作においては、操作プレート３０３は弾性体３０９によってその移動を制限され、図９（ｂ）に示すように、基板固定金具３０８はイジェクタ３０７によって押し上げられない。しかしながら、操作プレート３０３を強く引くことにより、図９（ｃ）に示すように弾性体３０９が押し潰され、基板固定金具３０８がイジェクタ３０７により押し上げられる。従って、ＨＤＤ固定具３００にＨＤＤ１００を固定していない状態で、操作プレート３０３を強く引くことにより、接続基板２１２の固定を解除し、接続基板２１２の取替えを容易に行うことができると共に、通常の動作においては接続基板２１２の固定が解除されないようにすることができる。
【００５３】
次に、図４、図５、図１０及び図１１（ａ）〜（ｃ）を用いて、操作プレート３０３、リンク機構３０４及びイジェクタ３０７の動作について説明する。図１０は、図４と図５の間の状態におけるＨＤＤ固定具３００を示す上面図である。図１１（ａ）〜（ｃ）は、夫々図４、図１０、図５の状態におけるリンク機構３０４及びその周辺を示す上面図である。図１０、図１１においては、接続基板２１２及びＨＤＤ１００を破線で透過させて示している。図４に示すように操作部３０３ｃを奥まで押し込んだ状態で、作業者がＨＤＤ１００を把持してＨＤＤ１００をＨＤＤ固定具３００に押し込む。すると、図４に示すようにＨＤＤ１００はイジェクタ３０７の当接部３０７ａに当接する。この状態から更にＨＤＤ１００を動かし、図１０に示すように、ＨＤＤ１００が接続基板２１２に当接し、ＨＤＤ１００のインターフェース・コネクタが接続基板２１２のコネクタに接続され、それ以上動かなくなるまで押し込む。
【００５４】
図４の状態から図１０の状態までＨＤＤ１００を押し込む間、ＨＤＤ１００が当接部３０７ａを押動する。当接部３０７ａはＨＤＤ１００によって押動され、ガイドレール３０２に沿ってベースプレート３０１に対して相対的に移動する。当接部３０７ａと同時に連結部３０７ｂも移動する。連結部３０７ｂが移動すると、これに連結されたリンク機構３０４が動く。以下に、図１１（ａ）を用いてリンク機構３０４の動きについて説明する。尚、リンクプレート３０４ａとリンクプレート３０４ｂとは、左右対称に動くため、以下の説明においては、リンクプレート３０４ｂについてのみ説明する。
【００５５】
連結部３０７ｂが移動すると、これに伴って回動軸３０４ｅが移動する。図１１（ａ）に示すように、回動軸３０４ｅは、回動軸３０４ｃを中心にベースプレート３０１の板面に平行な板面を図中の矢印Ｐの軌跡を描いて回動する。この時、図１１（ｂ）に示すように、回動軸３０４ｅがスライド穴３０７ｃ内部をスライドすることにより、回動軸３０４ｅの回動軌跡と連結部３０７ｂとの移動軌跡との差を吸収する。これにより、リンクプレート３０４ｂが回転する。これに伴い、回動軸３０４ｆが回動軸３０４ｃを中心として図中の矢印Ｑの軌跡を描いて回動する。回動軸３０４ｆの回動に伴い、回動軸３０４ｆに連結された操作プレート３０３が移動する。操作プレート３０３は、ガイドレール３０２に沿って移動する。この時、図１１（ｂ）に示すように、回動軸３０４ｆがスライド穴３０３ａ内部をスライドすることにより、回動軸３０４ｆの回動軌跡と操作プレート３０３の移動軌跡との差を吸収する。この様な動作により、図４に示す状態から図１０に示す状態に至る。
【００５６】
図１０に示す状態においては、板ばね３０５は図６（ｃ）に示す状態であり、ＨＤＤ固定具３００はまだ拘持状態となっていない。この状態において、作業者が操作プレート３０３を引っ張ることにより、板ばね３０５が図６（ｂ）に示す状態となり、図５に示す、ＨＤＤ固定具３００がＨＤＤ１００を拘持した状態となる。具体的には、操作プレート３０３を接続基板２１２から遠ざかる方向に動かすことにより、回動軸３０４ｆが移動する。図１１（ｂ）に示すように、回動軸３０４ｆは矢印Ｑの軌跡を描いて回動軸３０４ｃを中心として回動する。この時、図１１（ｃ）に示すように、回動軸３０４ｆがスライド穴３０３ａ内部をスライドすることにより、回動軸３０４ｆの回動軌跡と操作プレート３０３との移動軌跡との差を吸収する。これにより、リンクプレート３０４ｂが回転する。
【００５７】
リンクプレート３０４ｂの回転に伴い、回動軸３０４ｅが回動軸３０４ｃを中心として図中の矢印Ｐの軌跡を描いて回動する。回動軸３０４ｅの回動に伴い、回動軸３０４ｅに連結された連結部３０７ｂが移動する。この時、図１１（ｃ）に示すように、回動軸３０４ｅがスライド穴３０７ｃ内部をスライドすることにより、回動軸３０４ｅの回動軌跡と連結部３０７ｂの移動軌跡との差を吸収する。また、図６（ｂ）に示すように、ばね端部３０５ａとばね押圧部３０３ｂとが離間し、板ばね３０５が標準状態となる。
【００５８】
この様な動作により、図１０に示す状態から図５に示す状態に至る。図５に示す状態においては、ＨＤＤ１００は押圧部材３０６と反対側のガイドレール３０２との間で押圧固定されている。また、押圧部材３０６に形成された凸部３０６ａの変形により、操作プレート３０３に対して押し付けられるように力を加えられている。このように、ＨＤＤ１００を接続基板２１２に完全に接続してから、ＨＤＤ固定具３００を拘持状態とすることにより、ＨＤＤ１００と接続基板２１２との接続が不完全な状態でＨＤＤ１００が拘持されてしまうことを回避できる。
【００５９】
このようなリンク機構３０４の動作により、操作プレート３０３とイジェクタ３０７とを連動して動作させることができ、更に操作プレート３０３の移動方向とイジェクタ３０７の移動方向とを逆向きにすることができる。これにより、ＨＤＤ１００をＨＤＤ固定具３００に挿入する際は、操作部３０３ｃをＨＤＤ固定具３００に押し込んだ状態とすることができる。操作部３０３ｃがＨＤＤ固定具３００に押し込まれた状態であれば、ガイドレール３０２においてＨＤＤ１００の底面が摺動する面と操作部３０３ｃとを連続させることができる。これにより、挿入端３１０からＨＤＤ１００を挿入する際に、ＨＤＤ１００がガイドレール３０２の端部に衝突して破損することを防ぐことができる。
【００６０】
ＨＤＤ１００をＨＤＤ固定具３００から取り外す際は、図５に示す状態において、操作プレート３０３を押し込む。即ち、操作プレート３０３を接続基板２１２に近づく方向に動かすことにより、板ばね３０５が、図６（ｂ）に示す状態から図６（ｃ）に示す状態となり、押圧部材３０６によるＨＤＤ１００の拘持が解除される。また、リンク機構３０４が上記とは逆の動作を行い、まず図１０に示すように、イジェクタ３０７の当接部３０７ａがＨＤＤ１００に当接する。更に操作プレート３０３を接続基板２１２に近づけることにより、当接部３０７ａがＨＤＤ１００を押動し、ＨＤＤ１００のインターフェース・コネクタが接続基板２１２のコネクタから抜脱され、ＨＤＤ１００と接続基板２１２との接続が解除される。これにより、図５に示す状態から図１０に示す状態を経て図４に示す状態に至る。
【００６１】
このように、本実施形態に係るＨＤＤ固定具３００は、操作プレート３０３を押すだけでＨＤＤ１００の固定解除とイジェクトとを同時に行うことができる。イジェクト動作の際に操作部３０３ｃを引く必要がある場合、イジェクトされて飛び出してきたＨＤＤ１００は作業者の指に当たる。これに対し、本実施形態においては、作業者は掌で操作部３０３ｃを押動すれば良く、ＨＤＤ１００がイジェクトされて挿入端３１０に向かって飛び出してきても作業者の掌に当たる。従って、操作プレート３０３を引くよりも作業を安全に行うことができる。
【００６２】
上記の説明においては、一のセル２１１に一のＨＤＤ固定具３００が固定され、一のＨＤＤ１００が挿入される例を説明したが、一の挿入穴に複数のＨＤＤ固定具３００が固定され、複数のＨＤＤ１００が挿入されても良い。また、上記の説明においては、３．５インチのＨＤＤを対象としたＨＤＤ固定具を例として説明したが、２．５インチや１インチ等、その他のサイズのＨＤＤについても適用可能である。更に、上記の説明においては、ＨＤＤ１００と接続基板２１２との不完全な接続を回避するため、ＨＤＤ１００を接続基板２１２に接続した後に、作業者が操作プレート３０３の操作部を操作する例を説明した。しかしながら、ＨＤＤ１００を接続基板２１２に完全に接続すると、自動的に板ばね３０５が標準状態となり、ＨＤＤ１００が拘持されるようにすることもできる。
【００６３】
例えば、図１０に示す状態、即ちＨＤＤ１００が接続基板２１２に完全に接続された状態において、板ばね３０５が湾曲した状態で、ばね端部３０５ａの斜面と操作プレート３０３のばね押圧部３０３ｂに形成された斜面とが当接していれば、板ばね３０５の反発力によって、ばね端部３０５ａからばね押圧部３０３ｂに対して押圧力が加えられる。これにより、操作プレート３０３が押動され、板ばね３０５と操作プレート３０３とが図６（ｂ）に示す状態となる。この様な構成は、操作プレート３０３におけるばね押圧部３０３ｂの位置を調整することにより可能となる。尚、上記の説明においては、板ばね３０５は標準状態において平面である例を説明したが、標準状態においてＨＤＤ１００を押さえ付けるように反っており、ばね押圧部３０３ｂによる押圧力によって平面となり、ＨＤＤ１００と離間するように構成することも出来る。
【００６４】
また、リンク機構３０４の機構は上記の構成以外でも良く、操作プレート３０３とイジェクタ３０７とが互いに逆向きの方向に連動して動く構成であれば良い。例えば、操作プレート３０３と連結部３０７ｂとを歯車を介して連結することにより、操作プレート３０３とイジェクタ３０７とが逆方向に連動して移動するような構成とすることができ、上記と同等の効果を得ることができる。
【００６５】
また。上記の説明においては、ＨＤＤ１００の試験を行う際、ＨＤＤ１００は試験用コンピュータ２０２から試験用プログラム及び各種パラメータ等の情報をダウンロードして試験を実行したが、これらの情報は予めＨＤＤ１００の磁気ディスク１０１若しくはメモリ等に格納されていても良く、試験用コンピュータ２０２は試験を実行させるための命令を送信するのみでも良い。また、接続基板２１２は、ＨＤＤ１００の電源コネクタに対応したコネクタを夫々有する必要はなく、接続基板２１２以外からＨＤＤ１００に対して電源が供給されても良い。また、ＨＤＤ１００のインターフェース・コネクタから電源が供給されるようにしても良い。
【００６６】
更に、上記の説明においては、ＨＤＤの試験装置２００においてＨＤＤを固定するＨＤＤ固定具３００の例を説明したが、試験装置に限らず、例えばサーバー、パーソナルコンピュータ、ハードディスク・レコーダ等のＨＤＤを有する電子機器においてＨＤＤを固定し接続するための治具として用いることも出来る。また、ＨＤＤ１００のサーボライト時にＨＤＤ１００を固定する治具として用いることもできる。更に、接続基板２１２を取り外した状態で、ＨＤＤを固定するための治具として用いることもできる。この場合は、ガイドレール３０２に形成される溝３０２及び基板固定金具３０８は特に必要ない。
【００６７】
また、上記の説明においては、押圧部材３０６の断面形状は図７に示すような形状である例を説明した。上述したように、これによりＨＤＤ１００を下方に押さえ付けることができるため好ましいが、押圧部材３０６の押圧面が平面であっても良い。また、円錐状の弾性体をＨＤＤ１００のネジ穴に挿入することによって押圧しても良い。
【００６８】
また、上記の説明においては、図５の状態から更に操作部３０３ｃを引くことにより、接続基板２１２の固定を解除する例を説明した。この場合、通常動作において操作プレート３０３を移動させる方向以外に、操作プレート３０３の移動路を形成する必要がないため好ましいが、図４の状態から図５の状態の間に操作部３０３ｃが移動する範囲以外の範囲に操作部３０３ｃを移動させることにより、基板固定部３０８が押し上げられる構成であれば、上記と同等の効果を得ることができる。例えば、図４の状態から更に操作部３０３ｃを押し込む場合や、操作部３０３ｃをその板面に水平な方向以外の方向に動かす場合及び操作部３０３ｃを回転させる場合等が考えられる。
【００６９】
更に、上記の説明においては、弾性体３０９を用いることにより、操作部３０３ｃの通常動作の範囲と、接続基板２１２の固定を解除させるための範囲とを区別した。この場合、操作部３０３ｃの通常動作の範囲と、それ以外の範囲とを容易に区別することができるため好ましいが、例えば図４又は図５の状態においてイジェクタ３０７とガイドレール３０２とが嵌合するように、互いに凹凸を形成しても良い。また、イジェクタ３０７が弾性体３０９と当接し基板固定部３０８を押し上げる例を説明した。この場合、部品点数を削減できるため好ましいが、弾性体３０９と当接する部材及び基板固定部３０８を押し上げる部材は、操作部３０３ｃに連動する部材であれば良く、イジェクタ３０７と別々に形成されても良い。
【図面の簡単な説明】
【００７０】
【図１】本発明の実施形態における、ハードディスク・ドライブの構成を示す模式平面図である。
【図２】本発明の実施形態における、ＨＤＤ試験装置を模式的に示す斜視図である。
【図３】本発明の実施形態における、ＨＤＤ試験装置の一部を模式的に示す斜視図である。
【図４】本発明の実施形態における、ＨＤＤ固定具を模式的に示す上面図である。
【図５】本発明の実施形態における、ＨＤＤ固定具を模式的に示す上面図である。
【図６】本発明の実施形態における、ＨＤＤ固定具の一部を模式的に示す側面図及び上面図である。
【図７】本発明の実施形態における、ＨＤＤ固定具の一部を模式的に示す断面図である。
【図８】本発明の実施形態における、ＨＤＤ固定具の一部を模式的に示す上面図である。
【図９】本発明の実施形態における、ＨＤＤ固定具の一部を模式的に示す側面図である。
【図１０】本発明の実施形態における、ＨＤＤ固定具を模式的に示す上面図である。
【図１１】本発明の実施形態における、ＨＤＤ固定具の動作を模式的に示す上面図である。
【符号の説明】
【００７１】
１００  ＨＤＤ、１０１  磁気ディスク、１０２  ベース、
１０３、スピンドル・モータ、１０５  ヘッド・スライダ、１０６  アクチュエータ、
１０７  回動軸、１０９  ボイス・コイル・モータ、１１０  サスペンション、
１１１  アーム、１１２  コイル・サポート、１１３  フラットコイル、
１１４  上側ステータ・マグネット保持板、１１５  ランプ機構、
１１８  クラッシュ・ストップ、２００  試験装置、２０１  ＨＤＤ挿入部、
２０２  試験用コンピュータ、２１０  チャンバ、２１１  セル、２１２  接続基板、
２１２ａ  凹部、３００  固定具、３０１  ベースプレート、３０１ａ  側面、
３０２  ガイドレール、３０２ａ  溝、３０３  操作プレート、３０３ａ  スライド穴、
３０３ｂ  ばね押圧部、３０３ｃ  操作部、３０４  リンク機構、
３０４ａ  リンクプレート、３０４ｂ  リンクプレート、
３０４ｃ、３０４ｄ、３０４ｅ、３０４ｆ、３０４ｇ  回動軸、３０５  板ばね、
３０５ａ  ばね端部、３０６  押圧部材、３０６ａ  凸部、３０６ｂ  斜面、
３０７  イジェクタ、３０７ａ  当接部、３０７ｂ  連結部、３０７ｃ  スライド穴、
３０７ｄ  斜面、３０８  基板固定金具、３０９  弾性体、３１０  挿入端、
【図１】
2007220184.tif 000003
【図２】
2007220184.tif 000004
【図３】
2007220184.tif 000005
【図４】
2007220184.tif 000006
【図５】
2007220184.tif 000007
【図６】
2007220184.tif 000008
【図７】
2007220184.tif 000009
【図８】
2007220184.tif 000010
【図９】
2007220184.tif 000011
【図１０】
2007220184.tif 000012
【図１１】
2007220184.tif 000013